(57)【特許請求の範囲】
【請求項１】
拡大側から順に、負の屈折力を有する第１レンズ群と、正の屈折力を有する第２レンズ群と、正の屈折力を有する第３レンズ群と、負の屈折力を有する第４レンズ群と、正の屈折力を有する第５レンズ群と、正の屈折力を有する第６レンズ群との実質的に６つのレンズ群からなり、
変倍の際に、前記第１レンズ群および前記第６レンズ群は固定されており、前記第２〜第５レンズ群は隣り合うレンズ群の間隔が変化して移動するように構成されており、
縮小側がテレセントリックであり、
前記第５レンズ群における拡大側から１〜４番目のレンズがそれぞれ、拡大側に凸面を向けた負メニスカス形状の単レンズ、正の単レンズ、両凹レンズ、両凸レンズであり、前記両凹レンズと前記両凸レンズとは接合されており、
下記条件式（１）を満足することを特徴とする投写用ズームレンズ。
２．５＜（Ｒ５１ａ＋Ｒ５１ｂ）／（Ｒ５１ａ−Ｒ５１ｂ）＜７．０  …  （１）
ただし、
Ｒ５１ａ：前記第５レンズ群の最も拡大側のレンズの拡大側の面の曲率半径
Ｒ５１ｂ：前記第５レンズ群の最も拡大側のレンズの縮小側の面の曲率半径
【請求項２】
下記条件式（２）〜（４）を満足することを特徴とする請求項１記載の投写用ズームレンズ。
νｄ５１＜３５．０  …  （２）
１．７２＜Ｎｄ５２  …  （３）
νｄ５２＜６０．０  …  （４）
ただし、
νｄ５１：前記第５レンズ群の最も拡大側のレンズのｄ線に関するアッベ数
Ｎｄ５２：前記第５レンズ群の拡大側から２番目のレンズのｄ線に関する屈折率
νｄ５２：前記第５レンズ群の拡大側から２番目のレンズのｄ線に関するアッベ数
【請求項３】
下記条件式（５）を満足することを特徴とする請求項１または２記載の投写用ズームレンズ。
０．１０＜Ｒ５１ｂ／Ｒ５２ａ＜０．７０  …  （５）
ただし、
Ｒ５１ｂ：前記第５レンズ群の最も拡大側のレンズの縮小側の面の曲率半径
Ｒ５２ａ：前記第５レンズ群の拡大側から２番目のレンズの拡大側の面の曲率半径
【請求項４】
広角端から望遠端への変倍の際に、前記第４レンズ群が縮小側へ移動するように構成されていることを特徴とする請求項１から３のいずれか１項記載の投写用ズームレンズ。
【請求項５】
下記条件式（６）、（７）を満足することを特徴とする請求項１から４のいずれか１項記載の投写用ズームレンズ。
（｜ｆＦ５６ｗ｜−ｄＧ４５ｗ）／ｆｗ＜０．０  …  （６）
０．０＜（｜ｆＦ５６ｔ｜−ｄＧ４５ｔ）／ｆｗ  …  （７）
ただし、
ｆｗ：広角端における全系の焦点距離
ｆＦ５６ｗ：広角端における前記第５レンズ群と前記第６レンズ群の合成のフロントフォーカス
ｆＦ５６ｔ：望遠端における前記第５レンズ群と前記第６レンズ群の合成のフロントフォーカス
ｄＧ４５ｗ：広角端における前記第４レンズ群と前記第５レンズ群の光軸上の間隔
ｄＧ４５ｔ：望遠端における前記第４レンズ群と前記第５レンズ群の光軸上の間隔
【請求項６】
広角端から望遠端への変倍の際に、前記第２レンズ群および前記第５レンズ群が拡大側へ移動するように構成されていることを特徴とする請求項１から５のいずれか１項記載の投写用ズームレンズ。
【請求項７】
前記第４レンズ群が、１枚の負レンズからなることを特徴とする請求項１から６のいずれか１項記載の投写用ズームレンズ。
【請求項８】
下記条件式（８）を満足することを特徴とする請求項１から７のいずれか１項記載の投写用ズームレンズ。
−６．０＜ｆ４／ｆｗ＜−２．０  …  （８）
ただし、
ｆ４：前記第４レンズ群の焦点距離
ｆｗ：広角端における全系の焦点距離
【請求項９】
前記第１レンズ群の最も拡大側のレンズが、少なくとも１面の非球面を有することを特徴とする請求項１から８のいずれか１項記載の投写用ズームレンズ。
【請求項１０】
前記第３レンズ群が、正レンズと負レンズとを拡大側からこの順に接合した接合レンズからなることを特徴とする請求項１から９のいずれか１項記載の投写用ズームレンズ。
【請求項１１】
下記条件式（９）を満足することを特徴とする請求項１から１０のいずれか１項記載の投写用ズームレンズ。
４．０＜ｆ３／ｆｗ＜１２．０  …  （９）
ただし、
ｆ３：前記第３レンズ群の焦点距離
ｆｗ：広角端における全系の焦点距離
【請求項１２】
下記条件式（１０）を満足することを特徴とする請求項１から１１のいずれか１項記載の投写用ズームレンズ。
２．０＜ｆ５／ｆｗ＜６．０  …  （１０）
ただし、
ｆ５：前記第５レンズ群の焦点距離
ｆｗ：広角端における全系の焦点距離
【請求項１３】
下記条件式（１１）を満足することを特徴とする請求項１から１２のいずれか１項記載の投写用ズームレンズ。
Ｆｎｗ≦１．８  …  （１１）
ただし、
Ｆｎｗ：広角端におけるＦナンバー
【請求項１４】
下記条件式（１２）を満足することを特徴とする請求項１から１３のいずれか１項記載の投写用ズームレンズ。
６０°≦２ωｗ  …  （１２）
ただし、
２ωｗ：広角端における最大全画角
【請求項１５】
下記条件式（１３）を満足することを特徴とする請求項１から１４のいずれか１項記載の投写用ズームレンズ。
１．４≦Ｚｒ  …  （１３）
ただし、
Ｚｒ：ズーム比
【請求項１６】
光源と、該光源からの光が入射するライトバルブと、該ライトバルブにより光変調された光による光学像をスクリーン上に投写する投写用ズームレンズとしての請求項１から１５のいずれか１項記載の投写用ズームレンズとを備えたことを特徴とする投写型表示装置。
【発明の詳細な説明】
【技術分野】
【０００１】
本発明は、投写用ズームレンズおよび投写型表示装置に関し、例えば、ライトバルブからの映像情報を担持した光束をスクリーン上に拡大投写するのに好適な投写用ズームレンズおよびこれを用いた投写型表示装置に関するものである。
【背景技術】
【０００２】
従来、プレゼンテーション等の際、液晶表示素子やＤＭＤ（デジタル・マイクロミラー・デバイス：登録商標）等のライトバルブに表示した画像を拡大投写する投写型表示装置が用いられている。この装置に搭載される投写用レンズに対する要望としては例えば、ライトバルブと投写レンズとの間に色合成光学系を配置できるように長いバックフォーカスを有すること、色合成光学系の角度依存性を考慮して縮小側がテレセントリックであること、室内空間での設置性を考慮してコンパクトな構成であること等が挙げられる。【０００３】
さらに近年では、スクリーン上での画像サイズを変更可能なズームレンズが多用されることから、その変化の割合の大きなもの、すなわち高ズーム比のズームレンズが望まれている。また、投写型表示装置から近い位置に大きな画像を投写できるワイド化機能が要求されることから、広角化も要望されている。さらにまた、より高輝度な投写型表示装置を実現するために、レンズ系に対してもＦナンバーが小さく明るいことが求められ、なおかつ最近の高解像のライトバルブに対応可能なように、良好に収差補正がされていることも求められている。【０００４】
上記要望に応えるべく、５群または６群構成の投写用ズームレンズが提案されている。従来知られている６群構成の投写用ズームレンズとしては、例えば下記特許文献１〜４に記載されているような、最も拡大側に変倍時に固定で負の屈折力を有する第１レンズ群、最も縮小側に変倍時に固定で正の屈折力を有する第６レンズ群を配置し、これらの間に変倍時に移動する第２〜第５レンズ群の４つのレンズ群を配設したものがある。また、下記特許文献５には、最も拡大側に変倍時に固定で負の屈折力を有する第１レンズ群、最も縮小側に変倍時に固定で正の屈折力を有する第５レンズ群を配置し、これらの間に変倍時に移動する第２〜第４レンズ群の３つのレンズ群を配設した５群構成の投写用ズームレンズが記載されている。
【先行技術文献】
【特許文献】
【０００５】
【特許文献１】特開２００５−３１６１８６号公報
【特許文献２】特開２００８−２７５７１３号公報
【特許文献３】特開２０１１−１０００７９号公報
【特許文献４】特開２０１０−１５６７６２号公報
【特許文献５】特開２０１１−１５４３３９号公報
【発明の概要】
【発明が解決しようとする課題】
【０００６】
近年では開発競争の激化とともに、複数の高度な要望を同時に満たす投写用ズームレンズが望まれている。すなわち、サイズを抑制しながら、より高性能で、よりＦナンバーが小さく、より広角化が図られた、より高ズーム比の汎用性の高いズームレンズが要望されている。【０００７】
しかしながら、特許文献１に記載の６群構成のズームレンズは、画角およびズーム比が不十分である。特許文献２に記載のものは、画角が小さい。特許文献３に記載のものは、Ｆナンバーが大きい。特許文献４に記載の６群構成のズームレンズは、Ｆナンバーが大きめである。特許文献５に記載のものに対しては、より小さなＦナンバーとさらなる広角化を同時に満たすように望まれることがある。【０００８】
本発明は、このような事情に鑑みなされたものであり、縮小側がテレセントリックとされ、光学系の大型化を抑制しながら、小さなＦナンバー、広角、高ズーム比、良好な光学性能を同時に実現する投写用ズームレンズおよびこのような投写用ズームレンズを備えた投写型表示装置を提供することを目的とするものである。
【課題を解決するための手段】
【０００９】
本発明に係る投写用ズームレンズは、拡大側から順に、負の屈折力を有する第１レンズ群と、正の屈折力を有する第２レンズ群と、正の屈折力を有する第３レンズ群と、負の屈折力を有する第４レンズ群と、正の屈折力を有する第５レンズ群と、正の屈折力を有する第６レンズ群との実質的に６つのレンズ群からなり、変倍の際に、第１レンズ群および第６レンズ群は固定されており、第２〜第５レンズ群は隣り合うレンズ群の間隔が変化して移動するように構成されており、縮小側がテレセントリックであり、第５レンズ群における拡大側から１〜４番目のレンズがそれぞれ、拡大側に凸面を向けた負メニスカス形状の単レンズ、正の単レンズ、両凹レンズ、両凸レンズであり、そのうちの両凹レンズと両凸レンズとは接合されており、下記条件式（１）を満足することを特徴とするものである。
２．５＜（Ｒ５１ａ＋Ｒ５１ｂ）／（Ｒ５１ａ−Ｒ５１ｂ）＜７．０  …  （１）
ただし、
Ｒ５１ａ：第５レンズ群の最も拡大側のレンズの拡大側の面の曲率半径
Ｒ５１ｂ：第５レンズ群の最も拡大側のレンズの縮小側の面の曲率半径
【００１１】
また、本発明に係る投写用ズームレンズにおいては、下記条件式（２）〜（４）を満足することが好ましい。
νｄ５１＜３５．０  …  （２）
１．７２＜Ｎｄ５２  …  （３）
νｄ５２＜６０．０  …  （４）
ただし、
νｄ５１：第５レンズ群の最も拡大側のレンズのｄ線に関するアッベ数
Ｎｄ５２：第５レンズ群の拡大側から２番目のレンズのｄ線に関する屈折率
νｄ５２：第５レンズ群の拡大側から２番目のレンズのｄ線に関するアッベ数【００１２】
また、本発明に係る投写用ズームレンズにおいては、下記条件式（５）を満足することが好ましい。
０．１０＜Ｒ５１ｂ／Ｒ５２ａ＜０．７０  …  （５）
ただし、
Ｒ５１ｂ：第５レンズ群の最も拡大側のレンズの縮小側の面の曲率半径
Ｒ５２ａ：第５レンズ群の拡大側から２番目のレンズの拡大側の面の曲率半径【００１３】
また、本発明に係る投写用ズームレンズにおいては、広角端から望遠端への変倍の際に、第４レンズ群が縮小側へ移動するように構成されていることが好ましい。【００１４】
また、本発明に係る投写用ズームレンズにおいては、下記条件式（６）、（７）を満足することが好ましい。
（｜ｆＦ５６ｗ｜−ｄＧ４５ｗ）／ｆｗ＜０．０  …  （６）
０．０＜（｜ｆＦ５６ｔ｜−ｄＧ４５ｔ）／ｆｗ  …  （７）
ただし、
ｆｗ：広角端における全系の焦点距離
ｆＦ５６ｗ：広角端における第５レンズ群と第６レンズ群の合成のフロントフォーカス
ｆＦ５６ｔ：望遠端における第５レンズ群と第６レンズ群の合成のフロントフォーカス
ｄＧ４５ｗ：広角端における第４レンズ群と第５レンズ群の光軸上の間隔
ｄＧ４５ｔ：望遠端における第４レンズ群と第５レンズ群の光軸上の間隔【００１５】
また、本発明に係る投写用ズームレンズにおいては、広角端から望遠端への変倍の際に、第２レンズ群および第５レンズ群が拡大側へ移動するように構成されていることが好ましい。【００１６】
また、本発明に係る投写用ズームレンズにおいては、第４レンズ群が、１枚の負レンズからなるようにしてもよい。【００１７】
また、本発明に係る投写用ズームレンズにおいては、下記条件式（８）を満足することが好ましい。
−６．０＜ｆ４／ｆｗ＜−２．０  …  （８）
ただし、
ｆ４：第４レンズ群の焦点距離
ｆｗ：広角端における全系の焦点距離【００１８】
また、本発明に係る投写用ズームレンズにおいては、第１レンズ群の最も拡大側のレンズが、少なくとも１面の非球面を有することが好ましい。【００１９】
また、本発明に係る投写用ズームレンズにおいては、第３レンズ群が、正レンズと負レンズとを拡大側からこの順に接合した接合レンズからなるように構成してもよい。【００２０】
また、本発明に係る投写用ズームレンズにおいては、下記条件式（９）を満足することが好ましい。
４．０＜ｆ３／ｆｗ＜１２．０  …  （９）
ただし、
ｆ３：第３レンズ群の焦点距離
ｆｗ：広角端における全系の焦点距離【００２１】
また、本発明に係る投写用ズームレンズにおいては、下記条件式（１０）を満足することが好ましい。
２．０＜ｆ５／ｆｗ＜６．０  …  （１０）
ただし、
ｆ５：第５レンズ群の焦点距離
ｆｗ：広角端における全系の焦点距離【００２２】
また、本発明に係る投写用ズームレンズにおいては、下記条件式（１１）を満足することが好ましい。
Ｆｎｗ≦１．８  …  （１１）
ただし、
Ｆｎｗ：広角端におけるＦナンバー【００２３】
また、本発明に係る投写用ズームレンズにおいては、下記条件式（１２）を満足することが好ましい。
６０°≦２ωｗ  …  （１２）
ただし、
２ωｗ：広角端における最大全画角【００２４】
また、本発明に係る投写用ズームレンズにおいては、下記条件式（１３）を満足することが好ましい。
１．４≦Ｚｒ  …  （１３）
ただし、
Ｚｒ：ズーム比【００２５】
本発明に係る投写型表示装置は、光源と、該光源からの光が入射するライトバルブと、該ライトバルブにより光変調された光による光学像をスクリーン上に投写する投写用ズームレンズとして上述した本発明の投写用ズームレンズとを備えたことを特徴とするものである。【００２６】
なお、上記「拡大側」とは、被投写側（スクリーン側）を意味し、縮小投写する場合も、便宜的にスクリーン側を拡大側と称するものとする。一方、上記「縮小側」とは、原画像表示領域側（ライトバルブ側）を意味し、縮小投写する場合も、便宜的にライトバルブ側を縮小側と称するものとする。【００２７】
なお、上記「実質的に６つのレンズ群からなり」とは、構成要素として挙げたレンズ群以外に、実質的にパワーを有さないレンズやレンズ群、絞りやカバーガラス等レンズ以外の光学要素等を含んでもよいことを意図するものである。【００２８】
なお、上記「レンズ群」とは、必ずしも複数のレンズから構成されるものだけでなく、１枚のレンズのみで構成されるものも含むものとする。【００２９】
なお、「単レンズ」とは、接合されていない１枚のレンズからなるものを意味する。【００３０】
なお、上記レンズの面形状や屈折力の符号は、非球面が含まれているものについては近軸領域で考えるものとする。【００３１】
なお、曲率半径の符号は、物体側に凸面を向けた形状の場合を正とし、像側に凸面を向けた形状の場合を負とすることにする。【００３２】
なお、「バックフォーカス」、「フロントフォーカス」については、拡大側、縮小側をそれぞれ一般的な撮像レンズの物体側、像側に相当するものとして考え、拡大側、縮小側それぞれをフロント側、バック側とするものとする。
【発明の効果】
【００３３】
本発明に係る投写用ズームレンズは、最も拡大側に変倍時に固定の負の第１レンズ群、最も縮小側に変倍時に固定の正の第６レンズ群を配置し、これらの間に拡大側から順に、正、正、負、正の変倍時に移動する４つのレンズ群を配置し、縮小側をテレセントリックとし、第５レンズ群の拡大側から１〜４番目のレンズの構成を詳細に設定しているため、光学系の大型化を抑制しながら、小さなＦナンバー、広角、高ズーム比、良好な光学性能を同時に実現することができる。【００３４】
また、本発明に係る投写型表示装置は、本発明の投写用ズームレンズを備えているため、装置の大型化を抑制可能であり、高ズーム比で広角であり、良好な投写性能を有することができる。
【図面の簡単な説明】
【００３５】
【図１】本発明の実施例１に係る投写用ズームレンズのレンズ構成および光線軌跡を示す断面図
【図２】本発明の実施例２に係る投写用ズームレンズのレンズ構成および光線軌跡を示す断面図
【図３】本発明の実施例３に係る投写用ズームレンズのレンズ構成および光線軌跡を示す断面図
【図４】本発明の実施例４に係る投写用ズームレンズのレンズ構成および光線軌跡を示す断面図
【図５】本発明の実施例５に係る投写用ズームレンズのレンズ構成および光線軌跡を示す断面図
【図６】図６（Ａ）〜図６（Ｌ）は本発明の実施例１に係る投写用ズームレンズの各収差図
【図７】図７（Ａ）〜図７（Ｌ）は本発明の実施例２に係る投写用ズームレンズの各収差図
【図８】図８（Ａ）〜図８（Ｌ）は本発明の実施例３に係る投写用ズームレンズの各収差図
【図９】図９（Ａ）〜図９（Ｌ）は本発明の実施例４に係る投写用ズームレンズの各収差図
【図１０】図１０（Ａ）〜図１０（Ｌ）は本発明の実施例５に係る投写用ズームレンズの各収差図
【図１１】本発明の一実施形態に係る投写型表示装置の概略構成図
【発明を実施するための形態】
【００３６】
以下、本発明の実施形態について図面を参照して詳細に説明する。図１〜図５は、本発明の実施形態にかかる投写用ズームレンズの構成例を示す断面図であり、それぞれ後述の実施例１〜５の投写用ズームレンズに対応している。図１〜図５に示す例の基本的な構成は同様であり、図１〜図５の図示方法も同様であるため、ここでは主に図１を参照しながら、本発明の実施形態にかかる投写用ズームレンズについて説明する。
【００３７】
図１は本発明の一実施形態に係る投写用ズームレンズのレンズ構成を示す断面図であり、左側にそれぞれＷ、Ｍ、Ｔという記号が付された上段、中段、下段に、それぞれ広角端、中間焦点距離状態、望遠端における各レンズ群の配置と構成を示している。なお、図１には、軸上光束４、最大画角の軸外光束５も合わせて示している。
【００３８】
この投写用ズームレンズは、例えば投写型表示装置に搭載されて、ライトバルブに表示された画像情報をスクリーンへ投写する投写レンズとして使用可能である。図１では、図の左側を拡大側、右側を縮小側とし、投写型表示装置に搭載される場合を想定して、色合成部または照明光分離部に用いられるフィルタやプリズム等を想定したガラスブロック２と、ガラスブロック２の縮小側の面に位置するライトバルブの画像表示面１も合わせて図示している。
【００３９】
投写型表示装置においては、画像表示面１で画像情報を与えられた光束が、ガラスブロック２を介して、この投写用ズームレンズに入射され、この投写用ズームレンズにより紙面左側方向に配置されるスクリーン（不図示）上に投写されるようになる。
【００４０】
なお、図１では、ガラスブロック２の縮小側の面の位置と画像表示面１の位置とが一致した例を示しているが、必ずしもこれに限定されない。また、図１には、１枚の画像表示面１のみを記載しているが、投写型表示装置において、光源からの光束を色分離光学系により３原色に分離し、各原色用に３つのライトバルブを配設して、フルカラー画像を表示可能とするように構成してもよい。
【００４１】
本実施形態に係る投写用ズームレンズは、拡大側から順に、負の屈折力を有する第１レンズ群Ｇ１と、正の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、正の屈折力を有する第６レンズ群Ｇ６との実質的に６つのレンズ群からなり、縮小側がテレセントリックとなるように構成されている。
【００４２】
なお、「縮小側がテレセントリック」とは、縮小側の像面の任意の点に集光する光束の断面において上側の最大光線と下側の最大光線との二等分角線が光軸と平行に近い状態を指すものであり、完全にテレセントリックな場合、すなわち前記２等分角線が光軸に対して完全に平行な場合に限るものではなく、多少の誤差がある場合をも含むものを意味する。ここで多少の誤差がある場合とは、光軸に対する前記２等分角線の傾きが±３°の範囲内の場合である。図１では、最大画角の軸外光束５に関する上記二等分角線を仮想的な主光線６として図示している。
【００４３】
全系の最も拡大側のレンズ群を負レンズ群とし、最も縮小側のレンズ群を正レンズ群としたネガティブリード型の構成は、ポジティブリード型の構成に比べ、広角化に有利となる。また、ネガティブリード型の構成は、プリズム等を挿入するために必要な長さのバックフォーカスを確保することが容易である。
【００４４】
変倍の際に、第１レンズ群Ｇ１および第６レンズ群Ｇ６は固定されており、第２レンズ群Ｇ２と、第３レンズ群Ｇ３と、第４レンズ群Ｇ４と、第５レンズ群Ｇ５とは移動する。図１では、広角端から中間焦点距離状態へ変化する際、および中間焦点距離状態から望遠端へ変化する際の移動するレンズ群の概略的な移動方向を各位置の間の矢印で示している。
【００４５】
本投写用ズームレンズは、変倍時に第２レンズ群Ｇ２〜第５レンズ群Ｇ５の４つのレンズ群を移動させることにより、ズーム機能を有する構成とされている。すなわち、４つのレンズ群に変倍機能を分担させているため、小型化、高性能化、高ズーム比化および小さなＦナンバーに対する要求を同時に満たすことが可能となる。変倍時に移動するレンズ群が３つ以下の場合は、これらの要求を同時に満たすことは容易ではない。
【００４６】
また、変倍時に移動する４つの移動群の屈折力を拡大側から順に、正、正、負、正とすることで、大径化しやすい第１レンズ群Ｇ１と第２レンズ群Ｇ２のレンズ径を大きくなりすぎないように抑制しながら、広角化と小さなＦナンバーを同時に実現することができる。
【００４７】
広角端から望遠端への変倍の際に、第２レンズ群Ｇ２と第５レンズ群Ｇ５は拡大側へ移動することが好ましく、このようにした場合は小型化に有利となる。また、広角端から望遠端への変倍の際に、第４レンズ群Ｇ４は縮小側へ移動することが好ましく、このようにした場合は広角化と小さなＦナンバーを同時に実現することに有利となる。
【００４８】
図１に示す例の各レンズ群の構成としては、第１レンズ群Ｇ１はレンズＬ１１〜Ｌ１３の３枚のレンズからなり、第２レンズ群Ｇ２はレンズＬ２１、Ｌ２２の２枚のレンズからなり、第３レンズ群Ｇ３はレンズＬ３１、Ｌ３２の２枚のレンズからなり、第４レンズ群Ｇ４はレンズＬ４１の１枚のレンズからなり、第５レンズ群Ｇ５はレンズＬ５１〜Ｌ５６の６枚のレンズからなり、第６レンズ群Ｇ６はレンズＬ６１の１枚のレンズからなる。なお、本発明の投写用ズームレンズの第１レンズ群Ｇ１は、図３〜図５に示す例のように、４枚構成としてもよい。また、本発明の投写用ズームレンズの各レンズ群を構成するレンズの枚数は必ずしも図１〜図５に示す例に限定されない。
【００４９】
本発明の投写用ズームレンズは、第５レンズ群Ｇ５の拡大側から１〜４番目のレンズであるレンズＬ５１〜Ｌ５４の構成に特徴を有する。図１に示すように、レンズＬ５１は拡大側に凸面を向けた負メニスカス形状の単レンズであり、レンズＬ５２は正の単レンズであり、レンズＬ５３は両凹レンズであり、レンズＬ５４は両凸レンズであり、レンズＬ５３とレンズＬ５４は接合されて接合レンズを構成する。
【００５０】
第５レンズ群Ｇ５の拡大側の４枚のレンズを上記構成とすることで、小さなＦナンバーを実現しながら、ズーム全域で像面湾曲と軸上色収差を良好に補正することができる。特に、レンズＬ５１、Ｌ５２をともに接合されていない単レンズとしてこれらの間に空気間隔を形成することで、像面湾曲の補正に有利となる。より良好な像面湾曲の補正のためには、レンズＬ５２の拡大側の面は凸面として、レンズＬ５１とレンズＬ５２の間に厚みの薄い空気レンズを形成することが好ましい。
【００５１】
その他のレンズ群については、以下のように構成することが好ましい。第１レンズ群Ｇ１の最も拡大側に配置されるレンズＬ１１は、少なくとも１面の非球面を有することが好ましい。レンズＬ１１を非球面レンズとした場合は、レンズ枚数を抑えて、歪曲収差を良好に補正することが可能となる。また、レンズＬ１１は、全系で径が最大となるレンズであることから、プラスチックレンズとすることが好ましく、そのようにした場合は安価で軽量に構成できる。
【００５２】
第３レンズ群Ｇ３は、正レンズと負レンズとを拡大側からこの順に接合した１組の接合レンズからなることが好ましい。第３レンズ群Ｇ３をこのような構成とすることで、レンズ系の全長を抑制しながらズーム全域で軸上色収差を良好に補正することができる。
【００５３】
第４レンズ群Ｇ４は、１枚の負レンズからなることが好ましい。このようにした場合は、限られたレンズ系の長さの中で移動群の移動スペースを有効に確保することができる。
【００５４】
第６レンズ群Ｇ６は、１枚の正レンズからなることが好ましい。このようにした場合は、小型化に有利となる。
【００５５】
さらに、本実施形態の投写用ズームレンズは、下記条件式（１）を満足することが好ましい。
２．５＜（Ｒ５１ａ＋Ｒ５１ｂ）／（Ｒ５１ａ−Ｒ５１ｂ）＜７．０  …  （１）
ただし、
Ｒ５１ａ：第５レンズ群の最も拡大側のレンズの拡大側の面の曲率半径
Ｒ５１ｂ：第５レンズ群の最も拡大側のレンズの縮小側の面の曲率半径
【００５６】
条件式（１）の下限以下になると、第５レンズ群Ｇ５内のパワーバランスが崩れ、小さなＦナンバーを確保しながら像面湾曲を良好に補正することが困難となる。条件式（１）の上限以上になると、レンズＬ５１の拡大側の面の曲率半径と縮小側の面の曲率半径が近くなり、加工性が悪化する。条件式（１）を満足することで、小さなＦナンバーを確保しながら良好に像面湾曲が補正されたレンズ系を実現することができる。
【００５７】
上記事情から、像面湾曲のより良好な補正と加工性の向上のためには、下記条件式（１’）を満足することがより好ましい。
３．０＜（Ｒ５１ａ＋Ｒ５１ｂ）／（Ｒ５１ａ−Ｒ５１ｂ）＜５．５  …  （１’）
【００５８】
また、本実施形態の投写用ズームレンズは、下記条件式（２）〜（４）を満足することが好ましい。条件式（２）、（３）、（４）を同時に満足することで、ズーム全域にわたって軸上色収差の変動を良好に抑制することができる。
νｄ５１＜３５．０  …  （２）
１．７２＜Ｎｄ５２  …  （３）
νｄ５２＜６０．０  …  （４）
ただし、
νｄ５１：第５レンズ群の最も拡大側のレンズのｄ線に関するアッベ数
Ｎｄ５２：第５レンズ群の拡大側から２番目のレンズのｄ線に関する屈折率
νｄ５２：第５レンズ群の拡大側から２番目のレンズのｄ線に関するアッベ数
【００５９】
上記条件式（２）、（３）、（４）に加え、下記条件式（２’）、（３’）、（４’）の少なくともいずれか１つを満足することがより好ましい。
２３．０＜νｄ５１＜３０．０  …  （２’）
１．７５＜Ｎｄ５２＜１．８０  …  （３’）
３５．０＜νｄ５２＜５５．０  …  （４’）
【００６０】
条件式（２’）の上限、条件式（３’）の下限、条件式（４’）上限または下限をそれぞれ満足することで、ズーム全域にわたって軸上色収差の変動をより良好に抑制することができる。条件式（２’）の下限、条件式（３’）の上限から外れるような一般的な材質は内部透過率が低いため、レンズ系の透過率の低下を招く。
【００６１】
また、本実施形態の投写用ズームレンズは、下記条件式（５）を満足することが好ましい。条件式（５）を満足する場合、レンズＬ５１の縮小側の面とレンズＬ５２の拡大側の面によって形成される空気レンズは、拡大側に凸面を向けたメニスカス形状となる。条件式（５）を満足することで、小さなＦナンバーを実現しながら、像面湾曲を良好に補正することが可能となる。
０．１０＜Ｒ５１ｂ／Ｒ５２ａ＜０．７０  …  （５）
ただし、
Ｒ５１ｂ：第５レンズ群の最も拡大側のレンズの縮小側の面の曲率半径
Ｒ５２ａ：第５レンズ群の拡大側から２番目のレンズの拡大側の面の曲率半径
【００６２】
上記事情から、像面湾曲のより良好な補正のためには、下記条件式（５’）を満足することがより好ましい。
０．２５＜Ｒ５１ｂ／Ｒ５２ａ＜０．５０  …  （５’）
【００６３】
また、本実施形態の投写用ズームレンズは、下記条件式（６）、（７）を満足することが好ましい。
（｜ｆＦ５６ｗ｜−ｄＧ４５ｗ）／ｆｗ＜０．０  …  （６）
０．０＜（｜ｆＦ５６ｔ｜−ｄＧ４５ｔ）／ｆｗ  …  （７）
ただし、
ｆｗ：広角端における全系の焦点距離
ｆＦ５６ｗ：広角端における第５レンズ群と第６レンズ群の合成のフロントフォーカス
ｆＦ５６ｔ：望遠端における第５レンズ群と第６レンズ群の合成のフロントフォーカス
ｄＧ４５ｗ：広角端における第４レンズ群と第５レンズ群の光軸上の間隔
ｄＧ４５ｔ：望遠端における第４レンズ群と第５レンズ群の光軸上の間隔
【００６４】
条件式（６）、（７）は、上述した仮想的な主光線６と光軸Ｚの交点を仮想的な絞り位置と考えたとき、縮小側がテレセントリックな本投写用ズームレンズにおいて、この仮想的な絞り位置と第４レンズ群Ｇ４との位置関係を規定するものである。
【００６５】
条件式（６）を満足することで、広角端において、第４レンズ群Ｇ４が上記仮想的な絞り位置よりも拡大側に位置することになる。よって、画像表示面１から拡大側へ進行する仮想的な主光線６を考えたとき、この仮想的な主光線６は光軸Ｚを横切った後に第４レンズ群Ｇ４に入射し、負の屈折力を有する第４レンズ群Ｇ４により光軸Ｚから離れる方向へ屈折することになるため、レンズ系のより広角化を図ることができる。
【００６６】
一方、条件式（７）を満足することで、望遠端においては、第４レンズ群Ｇ４が上記仮想的な絞り位置よりも縮小側に位置することになる。このとき、図１の下段の望遠端の構成図に示すように、第３レンズ群Ｇ３と第４レンズ群Ｇ４の間隔は広いものとなっている。画像表示面１から拡大側へ進行する軸上光束４を考えたとき、この軸上光束４は負の屈折力を有する第４レンズ群Ｇ４により発散作用を受け光束径を広げながら第３レンズ群Ｇ３と第４レンズ群Ｇ４の間の長い距離を進行できるため、最終的に第１レンズ群Ｇ１を出射後の光束径を大きなものとすることができ、ズーム比をより大きなものとすることができる。
【００６７】
条件式（６）、（７）を同時に満足することで、広角化と高ズーム比化の両方を達成することができる。さらに、下記条件式（６’）、（７’）の少なくともいずれか一方を満足することがより好ましい。
−１．２＜（｜ｆＦ５６ｗ｜−ｄＧ４５ｗ）／ｆｗ＜０．０  …  （６’）
０．０＜（｜ｆＦ５６ｔ｜−ｄＧ４５ｔ）／ｆｗ＜１．０  …  （７’）
【００６８】
条件式（６’）の下限以下になると、レンズ系の全長が長くなりすぎ、また、第２レンズ群Ｇ２と第３レンズ群Ｇ３のレンズ径が大きくなる。条件式（７’）の上限以上になると、第２レンズ群Ｇ２と第３レンズ群Ｇ３のレンズ径が大きくなる。
【００６９】
また、本実施形態の投写用ズームレンズは、下記条件式（８）を満足することが好ましい。
−６．０＜ｆ４／ｆｗ＜−２．０  …  （８）
ただし、
ｆ４：第４レンズ群の焦点距離
ｆｗ：広角端における全系の焦点距離
【００７０】
条件式（８）の下限以下になると、第４レンズ群Ｇ４の負の屈折力が弱くなる。そのため、第３レンズ群Ｇ３と第５レンズ群Ｇ５の正の屈折力も弱くなり全長が長くなりすぎるか、第３レンズ群Ｇ３〜第５レンズ群Ｇ５において各レンズ群間隔が広くなり全長が長くなりすぎる。条件式（８）の上限以上になると、第２レンズ群Ｇ２と第３レンズ群Ｇ３のレンズ径が大きくなる。
【００７１】
上記事情から、レンズ系の全長および第２レンズ群Ｇ２と第３レンズ群Ｇ３のレンズ径の抑制のためには、下記条件式（８’）を満足することがより好ましい。
−５．０＜ｆ４／ｆｗ＜−３．０  …  （８’）
【００７２】
また、本実施形態の投写用ズームレンズは、下記条件式（９）を満足することが好ましい。
４．０＜ｆ３／ｆｗ＜１２．０  …  （９）
ただし、
ｆ３：第３レンズ群の焦点距離
ｆｗ：広角端における全系の焦点距離
【００７３】
条件式（９）の下限以下になると、変倍時の軸上色収差の変動が大きくなる。条件式（９）の上限以上になると、第２レンズ群Ｇ２のレンズ径が大きくなり、第２レンズ群Ｇ２の屈折力が強くなり、像面湾曲と球面収差が悪化する。
【００７４】
上記事情から、変倍時の軸上色収差の変動、第２レンズ群Ｇ２のレンズの大径化、像面湾曲と球面収差の悪化をより抑制するためには、下記条件式（９’）を満足することがより好ましい。
５．５＜ｆ３／ｆｗ＜１０．０  …  （９’）
【００７５】
また、本実施形態の投写用ズームレンズは、下記条件式（１０）を満足することが好ましい。
２．０＜ｆ５／ｆｗ＜６．０  …  （１０）
ただし、
ｆ５：第５レンズ群の焦点距離
ｆｗ：広角端における全系の焦点距離
【００７６】
条件式（１０）の下限以下になると、第６レンズ群Ｇ６の屈折力が弱くなり、レンズ系の全長が長くなる。条件式（１０）の上限以上になると、第５レンズ群Ｇ５の屈折力が弱くなり、変倍時の移動量が大きくなり、小型化に不利となる。
【００７７】
上記事情から、よりレンズ系の全長を抑え、より小型化を図るためには、下記条件式（１０’）を満足することがより好ましい。
３．０＜ｆ５／ｆｗ＜５．５  …  （１０’）
【００７８】
また、本実施形態の投写用ズームレンズは、下記条件式（１１）を満足することが好ましい。条件式（１１）を満足しない場合には、近年要望される明るい光学系を実現することができない。より明るい光学系の実現のためには、下記条件式（１１’）を満足することがより好ましい。
Ｆｎｗ≦１．８  …  （１１）
Ｆｎｗ≦１．７  …  （１１’）
ただし、
Ｆｎｗ：広角端におけるＦナンバー
【００７９】
また、本実施形態の投写用ズームレンズは、下記条件式（１２）を満足することが好ましい。条件式（１２）を満足しない場合には、広角用途の要望に対応することができなくなる。広角用途により好適なものとするためには、下記条件式（１２’）を満足することがより好ましい。
６０°≦２ωｗ  …  （１２）
６５°≦２ωｗ  …  （１２’）
ただし、
２ωｗ：広角端における最大全画角
【００８０】
また、本実施形態の投写用ズームレンズは、下記条件式（１３）を満足することが好ましい。条件式（１３）を満足しない場合には、高いズーム比が得られず、使用可能な範囲が狭くなり、汎用性が低下する。
１．４≦Ｚｒ  …  （１３）
ただし、
Ｚｒ：ズーム比
【００８１】
さらに、下記条件式（１３’）を満足することがより好ましい。
１．５≦Ｚｒ≦２．０  …  （１３’）
【００８２】
条件式（１３’）の下限以上とすることで、より高いズーム比を得ることが可能となる。条件式（１３’）の上限を上回ると、レンズ系の全長が長くなりすぎ、小型に構成することが困難になる。条件式（１３’）を満たす場合は、小型化と高い汎用性を実現することが可能となる。
【００８３】
また、本実施形態の投写用ズームレンズは、下記条件式（１４）を満足することが好ましい。
１．２＜Ｂｆ／Ｉｍφ  …  （１４）
ただし、
Ｂｆ：全系のバックフォーカス（空気換算距離）
Ｉｍφ：縮小側における最大有効像円直径
なお、上記「Iｍφ」は、例えば、投写用ズームレンズの仕様や、投写用ズームレンズが搭載される装置の仕様によって求めることができる。
【００８４】
条件式（１４）は、バックフォーカスとイメージサークルとの関係を好適に設定するためのものである。条件式（１４）の下限以下になると、所望のイメージサークルの大きさを得ながら、レンズ系の縮小側に、ビームスプリッタや、クロスダイクロイックプリズム、ＴＩＲプリズム等の色合成手段としてのガラスブロック等を挿入する適切なスペースを確保することが困難となる。
【００８５】
さらに、下記条件式（１４’）を満足することがより好ましい。条件式（１４’）の上限以上になると、全長が長くなりすぎる。
１．２＜Ｂｆ／Ｉｍφ＜２．０  …  （１４’）
【００８６】
また、本実施形態の投写用ズームレンズは、下記条件式（１５）を満足することが好ましい。
１．５＜Ｂｆ／ｆｗ  …  （１５）
ただし、
Ｂｆ：全系のバックフォーカス（空気換算距離）
ｆｗ：広角端における全系の焦点距離
【００８７】
条件式（１５）の下限以下になると、レンズ系の縮小側に、ビームスプリッタや、クロスダイクロイックプリズム、ＴＩＲプリズム等の色合成手段としてのガラスブロック等を挿入する適切なスペースを確保することが困難となる。
【００８８】
さらに、下記条件式（１５’）を満足することがより好ましい。条件式（１５’）の下限を満たすことで、ガラスブロック等を挿入するよりスペースを確保することがより容易となる。条件式（１５’）の上限以上になると、全長が長くなりすぎる。
１．７＜Ｂｆ／ｆｗ＜２．５  …  （１５’）
【００８９】
なお、本発明の目的とする投写用ズームレンズとしては、全変倍域でディストーション（歪曲収差）が約２％以下に抑えられていることが好ましい。
【００９０】
次に、本発明に係る投写型表示装置の実施形態について、図１１を用いて説明する。図１１は本発明の一実施形態に係る投写型表示装置の概略構成図である。
【００９１】
図１１に示す投写型表示装置１００は、本発明の実施形態にかかる投写用ズームレンズ１０と、光源２０と、各色光に対応したライトバルブとしての透過型表示素子１１ａ〜１１ｃと、色分解のためのダイクロイックミラー１２、１３と、色合成のためのクロスダイクロイックプリズム１４と、コンデンサレンズ１６ａ〜１６ｃと、光路を偏向するための全反射ミラー１８ａ〜１８ｃとを有する。なお、図１１では、投写用ズームレンズ１０は概略的に図示しており、光源２０とダイクロイックミラー１２の間にはインテグレータが配されているが、図１１ではその図示を省略している。
【００９２】
光源２０からの白色光は、ダイクロイックミラー１２、１３で３つの色光光束（Ｇ光、Ｂ光、Ｒ光）に分解された後、それぞれコンデンサレンズ１６ａ〜１６ｃを経て各色光光束にそれぞれ対応する透過型表示素子１１ａ〜１１ｃに入射して光変調され、クロスダイクロイックプリズム１４により色合成された後、投写用ズームレンズ１０に入射する。投写用ズームレンズ１０は、透過型表示素子１１ａ〜１１ｃにより光変調された光による光学像を不図示のスクリーン上に投写する。
【００９３】
透過型表示素子１１ａ〜１１ｃとしては、例えば透過型液晶表示素子等を用いることができる。なお、図１１ではライトバルブとして透過型表示素子を用いた例を示したが、本発明の投写型表示装置が備えるライトバルブは、これに限られるものではなく、反射型液晶表示素子あるいはＤＭＤ等の他の光変調手段を用いてもよい。
【００９４】
次に、本発明の投写用ズームレンズの具体的な実施例について説明する。
＜実施例１＞
実施例１の投写用ズームレンズのレンズ構成図および光線軌跡は図１に示したものである。図１に関する説明は上述しているためここでは重複説明を省略する。図１に示す構成は、投写距離が無限遠のときのものである。
【００９５】
実施例１の投写用ズームレンズは、拡大側から順に、負の屈折力を有する第１レンズ群Ｇ１と、正の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、正の屈折力を有する第６レンズ群Ｇ６とが配列された６群構成であり、縮小側がテレセントリックとされている。第６レンズ群Ｇ６の縮小側には、赤外線カットフィルタやローパスフィルタ等の各種フィルタや色合成プリズム等を想定したガラスブロック２が配置され、ガラスブロック２の縮小側の面に接するようにライトバルブの画像表示面１が配置されている。
【００９６】
変倍時には、第１レンズ群Ｇ１と第６レンズ群Ｇ６は固定されており、第２レンズ群Ｇ２、第３レンズ群Ｇ３、第４レンズ群Ｇ４、第５レンズ群Ｇ５は可動とされ、その可動態様は概略的に図１中の矢印で表されている。広角端から望遠端への変倍の際には第２レンズ群Ｇ２と第５レンズ群Ｇ５が拡大側へ移動し、第４レンズ群Ｇ４が縮小側へ移動するように構成されている。
【００９７】
第１レンズ群Ｇ１は、拡大側から順に、近軸領域で拡大側に凸面を向けた負メニスカスレンズよりなるレンズＬ１１と、拡大側に凸面を向けた負メニスカスレンズよりなるレンズＬ１２と、両凹レンズよりなるレンズＬ１３とから構成されている。レンズＬ１１の両側の面が非球面である。
【００９８】
第２レンズ群Ｇ２は、拡大側から順に、縮小側に凸面を向けた正メニスカスレンズよりなるレンズＬ２１と、拡大側に凸面を向けた正メニスカスレンズよりなるレンズＬ２２とから構成されている。
【００９９】
第３レンズ群Ｇ３は、拡大側から順に、両凸レンズよりなるレンズＬ３１と、両凹レンズよりなるレンズＬ３２とから構成されている。レンズＬ３１とレンズＬ３２は接合されている。
【０１００】
第４レンズ群Ｇ４は、両凹レンズよりなるレンズＬ４１のみから構成されている。
【０１０１】
第５レンズ群Ｇ５は、拡大側から順に、拡大側に凸面を向けた負メニスカスレンズよりなるレンズＬ５１と、両凸レンズよりなるレンズＬ５２と、両凹レンズよりなるレンズＬ５３と、両凸レンズよりなるレンズＬ５４と、両凸レンズよりなるレンズＬ５５と、縮小側に凸面を向けた正メニスカスレンズよりなるレンズＬ５６とから構成されている。レンズＬ５３とレンズＬ５４とは接合されている。
【０１０２】
第６レンズ群Ｇ６は、両凸レンズよりなるレンズＬ６１のみから構成されている。
【０１０３】
表１に、実施例１の投写用ズームレンズの基本レンズデータを示す。基本レンズデータのＳｉの欄には最も拡大側の構成要素の拡大側の面を１番目として縮小側に向かうに従い順次増加するように構成要素の面に面番号を付したときのｉ番目（ｉ＝１、２、３、…）の面番号を示し、Ｒｉの欄にはｉ番目の面の曲率半径を示し、Ｄｉの欄にはｉ番目の面とｉ＋１番目の面との光軸Ｚ上の面間隔を示し、Ｎｄｊの欄には最も拡大側の構成要素を１番目として縮小側に向かうに従い順次増加するｊ番目（ｊ＝１、２、３、…）の構成要素のｄ線（波長５８７．６ｎｍ）に関する屈折率を示し、νｄｊの欄にはｊ番目の構成要素のｄ線に関するアッベ数を示す。
【０１０４】
ただし、曲率半径の符号は、面形状が拡大側に凸の場合を正、縮小側に凸の場合を負としており、基本レンズデータにはガラスブロック２も含めて示している。また、面番号が１、２の面は非球面であり、これらの面番号には＊印が付いている。非球面の曲率半径の欄には近軸の曲率半径の数値を示している。
【０１０５】
第１レンズ群Ｇ１と第２レンズ群Ｇ２の間隔、第２レンズ群Ｇ２と第３レンズ群Ｇ３の間隔、第３レンズ群Ｇ３と第４レンズ群Ｇ４の間隔、第４レンズ群Ｇ４と第５レンズ群Ｇ５の間隔、第５レンズ群Ｇ５と第６レンズ群Ｇ６の間隔は、変倍時に変化する可変面間隔である。これら可変面間隔の欄にはそれぞれＤＤ［６］、ＤＤ［１０］、ＤＤ［１３］、ＤＤ［１５］、ＤＤ［２６］と記入している。すなわち、ｉ番目の面とｉ＋１番目の面との間隔が可変面間隔の場合は、ＤＤ［Ｄｉ］となるように記載している。
【０１０６】
表２に、実施例１の投写用ズームレンズの広角端、中間焦点距離状態、望遠端それぞれにおける、ｄ線に関する諸元と上記各可変面間隔の値を示す。表２のｆ’は全系の焦点距離、ＦＮｏ．はＦナンバー、２ωは全画角（単位は度）である。
【０１０７】
表３に、面番号が１、２の面の非球面係数を示す。表３の非球面係数の数値の「Ｅ−ｎ」（ｎ：整数）は「×１０−ｎ」を意味する。非球面係数は、下式で表される非球面式における各係数Ｋ、Ａｍ（ｍ＝３、４、５、…１５）の値である。
【０１０８】
Ｚｄ＝Ｃ・ｈ２／｛１＋（１−Ｋ・Ｃ２・ｈ２）１/２｝＋ΣＡｍ・ｈｍ
ただし、
Ｚｄ：非球面深さ（高さｈの非球面上の点から、非球面頂点が接する光軸に垂直な平面に下ろした垂線の長さ）
ｈ：高さ（光軸からのレンズ面までの距離）
Ｃ：近軸曲率
Ｋ、Ａｍ：非球面係数（ｍ＝３、４、５、…１５）
【０１０９】
なお、表１〜表３に示す数値は、広角端における全系の焦点距離が１となるように規格化されたものであり、投写距離が無限遠のときのものである。また、各表の数値は、所定の桁でまるめたものである。
【０１１０】
【表１】
0005642903.tif 000002
【０１１１】
【表２】
0005642903.tif 000003
【０１１２】
【表３】
0005642903.tif 000004
【０１１３】
図６（Ａ）〜図６（Ｄ）にそれぞれ、広角端における実施例１の投写用ズームレンズの球面収差、非点収差、ディストーション（歪曲収差）、倍率色収差（倍率の色収差）の各収差図を示す。図６（Ｅ）〜図６（Ｈ）にそれぞれ、中間焦点距離状態における実施例１の投写用ズームレンズの球面収差、非点収差、ディストーション（歪曲収差）、倍率色収差（倍率の色収差）の各収差図を示す。図６（Ｉ）〜図６（Ｌ）にそれぞれ、望遠端における実施例１の投写用ズームレンズの球面収差、非点収差、ディストーション（歪曲収差）、倍率色収差（倍率の色収差）の各収差図を示す。
【０１１４】
図６（Ａ）〜図６（Ｌ）の各収差図は、ｄ線を基準としたものであるが、球面収差図では、Ｆ線（波長４８６．１ｎｍ）、Ｃ線（波長６５６．３ｎｍ）に関する収差も示しており、倍率色収差図では、Ｆ線、Ｃ線に関する収差を示している。また、非点収差図ではサジタル方向、タンジェンシャル方向それぞれに関する収差を実線、破線で示しており、線種の説明にそれぞれ（Ｓ）、（Ｔ）という記号を記入して示している。球面収差図の縦軸上方に記載のＦＮｏ．はＦナンバー、その他の収差図の縦軸上方に記載のωは半画角を意味する。なお、図６（Ａ）〜図６（Ｌ）の収差図は、縮小倍率が−０．００６２５倍のときのものである。
【０１１５】
上記の実施例１の説明で述べた各種データの記号、意味、記載方法、広角端における全系の焦点距離が１となるように規格化されている点、レンズ構成図およびレンズデータの数値は投写距離が無限遠のときのものである点、収差図は縮小倍率が−０．００６２５倍のときのものである点は、特に断りがない限り以下の実施例２〜５のものについても同様である。
【０１１６】
＜実施例２＞
実施例２の投写用ズームレンズのレンズ構成図および光線軌跡は図２に示したものである。実施例２の投写用ズームレンズは、実施例１の投写用ズームレンズと略同様の構成とされているが、レンズＬ５６が両凸レンズよりなる点において相違している。
【０１１７】
表４、表５、表６にそれぞれ、実施例２の投写用ズームレンズの基本レンズデータ、ｄ線に関する諸元と可変面間隔、非球面係数を示す。図７（Ａ）〜図７（Ｌ）にそれぞれ、実施例２の投写用ズームレンズの各収差図を示す。
【０１１８】
【表４】
0005642903.tif 000005
【表５】
0005642903.tif 000006
【表６】
0005642903.tif 000007
【０１１９】
＜実施例３＞
実施例３の投写用ズームレンズのレンズ構成図および光線軌跡は図３に示したものである。実施例３の投写用ズームレンズは、実施例１の投写用ズームレンズと略同様の構成とされているが、第１レンズ群Ｇ１が拡大側から順にレンズＬ１１〜Ｌ１４が配列された４枚構成であり、レンズＬ１３が拡大側に平面を向けた平凹レンズよりなり、レンズＬ１４が両凹レンズよりなる点、レンズＬ５６が両凸レンズよりなる点において相違している。
【０１２０】
表７、表８、表９にそれぞれ、実施例３の投写用ズームレンズの基本レンズデータ、ｄ線に関する諸元と可変面間隔、非球面係数を示す。図８（Ａ）〜図８（Ｌ）にそれぞれ、実施例３の投写用ズームレンズの各収差図を示す。
【０１２１】
【表７】
0005642903.tif 000008
【表８】
0005642903.tif 000009
【表９】
0005642903.tif 000010
【０１２２】
＜実施例４＞
実施例４の投写用ズームレンズのレンズ構成図および光線軌跡は図４に示したものである。実施例４の投写用ズームレンズは、実施例３の投写用ズームレンズと略同様の構成とされている。
【０１２３】
表１０、表１１、表１２にそれぞれ、実施例４の投写用ズームレンズの基本レンズデータ、ｄ線に関する諸元と可変面間隔、非球面係数を示す。図９（Ａ）〜図９（Ｌ）にそれぞれ、実施例４の投写用ズームレンズの各収差図を示す。
【０１２４】
【表１０】
0005642903.tif 000011
【表１１】
0005642903.tif 000012
【表１２】
0005642903.tif 000013
【０１２５】
＜実施例５＞
実施例５の投写用ズームレンズのレンズ構成図および光線軌跡は図５に示したものである。実施例５の投写用ズームレンズは、実施例３の投写用ズームレンズと略同様の構成とされているが、レンズＬ１３が両凹レンズよりなる点、レンズＬ１４が両凸レンズよりなる点において相違している。
【０１２６】
表１３、表１４、表１５にそれぞれ、実施例５の投写用ズームレンズの基本レンズデータ、ｄ線に関する諸元と可変面間隔、非球面係数を示す。図１０（Ａ）〜図１０（Ｌ）にそれぞれ、実施例５の投写用ズームレンズの各収差図を示す。
【０１２７】
【表１３】
0005642903.tif 000014
【表１４】
0005642903.tif 000015
【表１５】
0005642903.tif 000016
【０１２８】
表１６に、上記実施例１〜５の上記各条件式（１）〜（１５）の対応値を示す。また、表１７に、上記実施例１〜５の各種値を示す。ただし、表１７のｆ１は第１レンズ群Ｇ１の焦点距離、ｆ２は第２レンズ群Ｇ２の焦点距離、ｆ６は第６レンズ群Ｇ６の焦点距離、ｆｔは望遠端における全系の焦点距離である。
【０１２９】
【表１６】
0005642903.tif 000017
【０１３０】
【表１７】
0005642903.tif 000018
【０１３１】
以上、実施形態および実施例を挙げて本発明を説明したが、本発明の投写用ズームレンズとしては、上記実施例のものに限られるものではなく種々の態様の変更が可能であり、例えば各レンズの曲率半径、面間隔、屈折率、アッベ数を適宜変更することが可能である。
【０１３２】
また、本発明の投写型表示装置は、上記構成のものに限られるものではなく、例えば、用いられるライトバルブや、光束分離または光束合成に用いられる光学部材は、上記構成に限定されず、種々の態様の変更が可能である。
【図１】
0005642903.tif 000019
【図２】
0005642903.tif 000020
【図３】
0005642903.tif 000021
【図４】
0005642903.tif 000022
【図５】
0005642903.tif 000023
【図６】
0005642903.tif 000024
【図７】
0005642903.tif 000025
【図８】
0005642903.tif 000026
【図９】
0005642903.tif 000027
【図１０】
0005642903.tif 000028
【図１１】
0005642903.tif 000029